(57)【要約】【課題】ＴＶ装置の情報を印刷する機能を有するインクジェットプリンタでＴＶ装置の情報を印刷する場合に、印刷時のインクジェットプリンタの装置駆動音が、ＴＶ装置から出力される音声の聴取に支障をきたさないようにする。【解決手段】ＴＶ装置１の音声出力端子７から音声信号ケーブル６を介して、インクジェットプリンタ２の音声入力端子９に入力された音声信号を検出する音声信号検出手段８を備え、ＴＶ装置１から音声が出力されていることを検出した場合は、ＣＰＵ３によりヘッド制御手段１０、モータ制御手段１２の駆動モードの設定を変更し、インクジェットプリンタ２の装置駆動音を低減することで、ＴＶ装置１から出力される音声聴取の支障の度合いを低くする。【選択図】  図１
2004167841.tif 000002
【特許請求の範囲】
【請求項１】
画像と音声を出力するモニタ装置に接続され前記モニタ装置の情報を印刷する機能を有するインクジェットプリンタであって、
前記モニタ装置から音声が出力されていることを検出する音声信号検出手段と、
前記音声信号検出手段が前記モニタ装置から音声が出力されていることを検出した場合は、印刷時の装置駆動音を低減する駆動音低減モードを実行させる制御部とを備えたことを特徴とするインクジェットプリンタ。
【請求項２】
前記モニタ装置の音声出力端子から出力された音声信号を入力する音声信号入力端子を有し、前記音声信号検出手段は、前記音声信号入力端子の電気信号の検出を行うことにより前記モニタ装置から音声が出力されていることを検出することを特徴とする請求項１のインクジェットプリンタ。
【請求項３】
前記モニタ装置のスピーカから出力された音声を収集してこれを電気信号に変換するマイクロフォンを有し、前記音声信号検出手段は、前記マイクロフォンの電気信号の検出を行うことにより前記モニタ装置から音声が出力されていることを検出することを特徴とする請求項１のインクジェットプリンタ。
【請求項４】
前記モニタ装置の電源がオンしている状態であることを判別するＴＶ装置電源オン状態信号ラインを有し、前記音声信号検出手段は、前記モニタ装置電源オン状態信号ラインの状態により前記モニタ装置から音声が出力されていることを検出することを特徴とする請求項１のインクジェットプリンタ。
【請求項５】
前記駆動音低減モードは、給紙の速度を遅くするモードであることを特徴とする請求項１〜４の何れか一項に記載のインクジェットプリンタ。
【請求項６】
前記駆動音低減モードは、インクジェットヘッドに設けられた複数の圧電素子を分割して駆動するモードであることを特徴とする請求項１〜５の何れか一項に記載のインクジェットプリンタ。
【発明の詳細な説明】
【０００１】
【発明の属する技術分野】
本発明はインクジェットプリンタに関し、さらに詳しくは、画像と音声を出力するモニタ装置に接続されモニタ装置の情報を印刷する機能を有するインクジェットプリンタに関する。
【０００２】
【従来の技術】
ＴＶ装置等のモニタ装置に接続されるプリンタの例としては、特開平９−２１９８４２号の図１に記載のプリンタ３７０に代表されるようなものが考えられる。
【０００３】
一般のこのようなＴＶ装置に接続されたインクジェットプリンタでは、ＴＶ装置からインターフェース手段により伝送されたデータの印刷を行っている。そして、印刷時には、プリンタ装置を駆動することにより音が発生する。
【０００４】
以下に、ＴＶ装置と接続されてＴＶ装置の情報を印刷する従来のインクジェットプリンタについて説明する。
【０００５】
図１０に示すように、ＴＶ装置２０１と接続された従来のインクジェットプリンタ２０２は、インクジェットプリンタ全体の動作を制御するＣＰＵ２０３、プログラムやデータが記憶されたメモリ２０４、ＴＶ装置２０１とインクジェットプリンタ２０２との通信を制御するインターフェース手段２０５、ヘッド駆動電圧波形生成やヘッド印字データ生成を行いこれをヘッドブロック２１１へ伝達するヘッド制御手段２１０、給紙モータ２１３やキャリッジモータ２１４を制御するモータ制御手段２１２を備えている。
【０００６】
【特許文献１】
特開平９−２１９８４２号公報（図１）
【０００７】
【発明が解決しようとする課題】
ここで、ＴＶ装置の情報を印刷する機能を有するインクジェットプリンタによりＴＶ装置の情報を印刷する場合は、印刷時においてインクジェットプリンタの動作音のために、ＴＶ装置から出力される音声の聴取に支障をきたす。
【０００８】
これでは、ＴＶ装置を快適に視聴しつつその情報を印刷することはできない。
【０００９】
そこで、本発明は、印刷時における動作音によりモニタ装置から出力される音声聴取の支障を緩和することのできるインクジェットプリンタを提供することを目的とする。
【００１０】
【課題を解決するための手段】
この課題を解決するために、本発明のインクジェットプリンタは、画像と音声を出力するモニタ装置に接続されモニタ装置の情報を印刷する機能を有するインクジェットプリンタであって、モニタ装置から音声が出力されていることを検出する音声信号検出手段と、音声信号検出手段がモニタ装置から音声が出力されていることを検出した場合は、印刷時の装置駆動音を低減する駆動音低減モードを実行させる制御部とを備えた構成としたものである。
【００１１】
これにより、モニタ装置より音声が出力されている場合には印刷時の装置駆動音を低減するようにしたので、印刷時における動作音によりモニタ装置から出力される音声聴取の支障を緩和することが可能になる。
【００１２】
【発明の実施の形態】
本発明の請求項１に記載の発明は、画像と音声を出力するモニタ装置に接続されモニタ装置の情報を印刷する機能を有するインクジェットプリンタであって、モニタ装置から音声が出力されていることを検出する音声信号検出手段と、音声信号検出手段がモニタ装置から音声が出力されていることを検出した場合は、印刷時の装置駆動音を低減する駆動音低減モードを実行させる制御部とを備えたインクジェットプリンタであり、モニタ装置より音声が出力されている場合には印刷時の装置駆動音を低減するようにしたので、印刷時における動作音によりモニタ装置から出力される音声聴取の支障を緩和することが可能になるという作用を有する。
【００１３】
本発明の請求項２に記載の発明は、請求項１記載の発明において、モニタ装置の音声出力端子から出力された音声信号を入力する音声信号入力端子を有し、音声信号検出手段は、音声信号入力端子の電気信号の検出を行うことによりモニタ装置から音声が出力されていることを検出するインクジェットプリンタであり、モニタ装置より音声が出力されている場合には印刷時の装置駆動音を低減するようにしたので、印刷時における動作音によりモニタ装置から出力される音声聴取の支障を緩和することが可能になるという作用を有する。
【００１４】
本発明の請求項３に記載の発明は、請求項１記載の発明において、モニタ装置のスピーカから出力された音声を収集してこれを電気信号に変換するマイクロフォンを有し、音声信号検出手段は、マイクロフォンの電気信号の検出を行うことによりモニタ装置から音声が出力されていることを検出するインクジェットプリンタであり、モニタ装置より音声が出力されている場合には印刷時の装置駆動音を低減するようにしたので、印刷時における動作音によりモニタ装置から出力される音声聴取の支障を緩和することが可能になるという作用を有する。
【００１５】
本発明の請求項４に記載の発明は、請求項１記載の発明において、モニタ装置の電源がオンしている状態であることを判別するモニタ装置電源オン状態信号ラインを有し、音声信号検出手段は、モニタ装置電源オン状態信号ラインの状態によりモニタ装置から音声が出力されていることを検出するインクジェットプリンタであり、モニタ装置より音声が出力されている場合には印刷時の装置駆動音を低減するようにしたので、印刷時における動作音によりモニタ装置から出力される音声聴取の支障を緩和することが可能になるという作用を有する。
【００１６】
本発明の請求項５に記載の発明は、請求項１〜４の何れか一項に記載の発明において、駆動音低減モードは給紙の速度を遅くするモードであるインクジェットプリンタであり、モニタ装置より音声が出力されている場合には印刷時の装置駆動音を低減するようにしたので、印刷時における動作音によりモニタ装置から出力される音声聴取の支障を緩和することが可能になるという作用を有する。
【００１７】
本発明の請求項６に記載の発明は、請求項１〜５の何れか一項に記載の発明において、駆動音低減モードは、インクジェットヘッドに設けられた複数の圧電素子を分割して駆動するモードであるインクジェットプリンタであり、モニタ装置より音声が出力されている場合には印刷時の装置駆動音を低減するようにしたので、印刷時における動作音によりモニタ装置から出力される音声聴取の支障を緩和することが可能になるという作用を有する。
【００１８】
以下、本発明の実施の形態について、図１から図９を用いて説明する。なお、これらの図面において同一の部材には同一の符号を付しており、また、重複した説明は省略されている。
【００１９】
（実施の形態１）
図１は本発明の実施の形態１によるＴＶ装置とインクジェットプリンタとを示すブロック図、図２は図１のインクジェットプリンタにおける給紙機構を示す概略図、図３は図１のインクジェットプリンタにおけるヘッドブロックを示す概略図、図４は図１のインクジェットプリンタにおける音声信号検出手段として比較器を適用した場合のブロック図、図５は図１のインクジェットプリンタにおける音声信号検出手段にＡ／Ｄ変換器を適用した場合のブロック図である。
【００２０】
図１において、ＴＶ装置（モニタ装置）１と接続されたインクジェットプリンタ２は、インクジェットプリンタ全体の動作を制御するＣＰＵ（制御部）３、プログラムやデータが記憶されたメモリ４、ＴＶ装置１とインクジェットプリンタ２との通信を制御するインターフェース手段５、ＴＶ装置１の音声出力端子７から音声ケーブル６により伝送されて音声入力端子９を介して入力された音声信号を検出する音声信号検出手段８、ヘッド駆動電圧波形生成やヘッド印字データ生成を行いヘッドブロック１１へ伝達させるヘッド制御手段１０、給紙モータ１３やキャリッジモータ１４を制御するモータ制御手段１２を備えている。
【００２１】
なお、本実施の形態ではモニタ装置としてＴＶ装置が用いられているが、モニタ装置は、少なくとも画像と音声とを出力するものであることから、ＴＶ装置以外にも、たとえばプロジェクタ装置等を用いることができる。
【００２２】
図２に示すように、給紙機構は、印刷用紙１５が載置される用紙持ち上げ板１６、印刷用紙１５を印刷開始位置まで供給する給紙ローラ１９を有しており、給紙モータ１３を駆動することで用紙持ち上げ板１６が上下し、ギア１７，１８が回転して給紙ローラ１９により印刷用紙１５が一枚ずつ搬送路へと取り出される。
【００２３】
図３に示すように、ヘッドブロック１１は、印加電圧により変位する圧電素子２０、各圧電素子２０に対応した個数分のスイッチで構成されてこれらの圧電素子２０を駆動するヘッドドライバ２１を備えている。そして、ヘッドドライバ２１を介して駆動電圧波形２２を印加すると、圧電素子２０は圧電効果により振動板を変位させることでインクを吐出させる。
【００２４】
以上のように構成されたインクジェットプリンタ２について、以下にその動作を説明する。
【００２５】
ＴＶ装置１からインターフェース手段５により伝送されたデータによりインクジェットプリンタ２は印刷を行う。
【００２６】
また、ＴＶ装置１の音声出力端子７から音声ケーブル６を介して音声信号が伝送され、その音声信号はインクジェットプリンタ２の音声入力端子９を介して音声信号検出手段８に入力される。
【００２７】
ここで、図４は音声信号検出手段８の一例を示している。図４において、音声信号検出手段８は比較器２３で構成されている。
【００２８】
比較器２３には、事前に決定された基準電圧と、ＴＶ装置１の音声出力端子７から音声ケーブル６を介して音声信号とが入力される。ここで、基準電圧とは、ＴＶ装置１より音声が出力されていると判断できるレベルに事前に設定された電圧である。
【００２９】
比較器２３は、事前に決定された基準電圧と音声出力端子７から音声ケーブル６を介して入力された音声信号の電圧レベルとを比較し、当該音声信号が基準電圧より大きい場合はハイレベルの信号をＣＰＵ３に対して出力し、また基準電圧より小さい場合はローレベルの信号をＣＰＵ３に対して出力する。
【００３０】
ＣＰＵ３は、入力された比較器２３の出力の値によってＴＶ装置１より音声が出力されているか否かを判断する。そして、ＣＰＵ３は、入力された比較器２３の出力がハイレベルの場合にはＴＶ装置１より音声が出力されていると判断し、インクジェットプリンタ２から出力される駆動音が低減されるように装置の駆動モードを変更する。
【００３１】
駆動音を低減するために変更する装置の駆動モード（駆動音低減モード）の一つが、給紙の設定を変更することである。
【００３２】
つまり、通常は印刷に要する時間を短くするために、給紙の速度は速く設定されている。そして、給紙を速く行う場合には、印字用紙１５を一枚毎に給紙するために使用する用紙持ち上げ板１６が上下する速度も速くなり、それに伴い、用紙持ち上げ板１６が上下する際に発生する音も大きくなる。また、給紙機構を構成するギア１７とギア１８との噛み合う速度も速くなり、それに伴いギア１７とギア１８が噛み合うことで発生する音も大きくなる。
【００３３】
前述のように、ＣＰＵ３がＴＶ装置１より音声が出力されていると判断した場合に、ＣＰＵ３はモータ制御手段１２に対して給紙速度を遅くするように設定を変更する。給紙モータ１３をＤＣモータで構成する場合、ＣＰＵ３はモータ駆動電流の設定値を変更してモータの駆動トルクを落とし、給紙の速度を遅くすることができる。そして、給紙の速度を遅くすることで、前述した用紙持ち上げ板１６が上下することで発生する音、およびギア１７とギア１８とが噛み合うことで発生する音を低減することができる。
【００３４】
さらに、駆動音を低減するために変更する装置の駆動モード（駆動音低減モード）の他の一つが、ヘッドブロック１１から発生する音を低減するために同時駆動する圧電素子２０の数の設定を変更することである。
【００３５】
つまり、ＴＶ装置１に接続されて当該ＴＶ装置１の情報を印刷する機能を有するインクジェットプリンタ２において、ヘッドブロック１１の圧電素子２０に駆動電圧波形を印加し、圧電素子２０の歪み力により振動板を変位させることでインク滴をノズル孔より吐出しており、圧電素子２０の歪み力が機械的振動であるために音が発生する。そして、同時駆動する圧電素子２０の数に比例して、発生する音は大きくなる。強制吐出時は、強制吐出に要する時間を短くするために、同時駆動する圧電素子２０の数が多いため、それに伴い圧電素子２０の歪み力を利用するヘッドブロック１１から発生する音は大きくなる。
【００３６】
前述のように、ＴＶ装置１より音声が出力されているとＣＰＵ３が判断した場合は、ＣＰＵ３がヘッド制御手段１０に対して、強制吐出時は全ての圧電素子２０を同時に駆動することなく数回にわけて分割駆動すると、同時駆動する圧電素子２０の数が少なくなり、ヘッドブロック１１から発生する音を低減することができる。
【００３７】
ここで、音声信号検出手段８は、図５に示すように、Ａ／Ｄ変換器２４で構成することも可能である。
【００３８】
図５において、Ａ／Ｄ変換器２４には、ＴＶ装置１の音声出力端子７から音声ケーブル６を介して音声信号が入力される。Ａ／Ｄ変換器２４はＴＶ装置１の音声出力端子７から音声ケーブル６を介して入力された音声信号をデジタルデータに変換する。音声信号が入力されＡ／Ｄ変換器２４で変換されたデジタルデータをＣＰＵ３が読み出し、あらかじめメモリ４に記憶されている基準データと比較する。ここで基準データとは、ＴＶ装置１より音声が出力されていると判断できるレベルに事前に設定されたデータである。
【００３９】
ＣＰＵ３はＡ／Ｄ変換器２４で変換されたデジタルデータと基準データの比較の結果により、ＴＶ装置１より音声が出力されていると判断した場合には、インクジェットプリンタ２から出力される駆動音が低減されるように装置の駆動モードを変更する。
【００４０】
ここで、駆動音を低減するために変更する装置の駆動モード（駆動音低減モード）の一つが、音声信号検出手段８を比較器２３で構成した場合と同様に、給紙の設定を変更することである。また、他の一つが、ヘッドブロック１１の同時駆動する圧電素子２０の数の設定を変更することである。
【００４１】
以上のように、本インクジェットプリンタによれば、ＴＶ装置１より音声が出力されている場合には印刷時の装置駆動音を低減するようにしたので、印刷時における動作音によりＴＶ装置１から出力される音声聴取の支障を緩和することが可能になる。
【００４２】
（実施の形態２）
図６は本発明の実施の形態２によるＴＶ装置とインクジェットプリンタとを示すブロック図、図７は図６のインクジェットプリンタにおける音声信号検出手段として比較器を適用した場合のブロック図、図８は図６のインクジェットプリンタにおける音声信号検出手段にＡ／Ｄ変換器を適用した場合のブロック図である。
【００４３】
図６において、インクジェットプリンタ２には、ＴＶ装置１のスピーカ２６から出力される音声を収集してこれを電気信号に変換するマイクロフォン２５、マイクロフォン２５で収集された音声信号の必要成分のみを通過させて音声信号検出手段８に伝送するバンドパスフィルタ２７を備えている。なお、これ以外の構成は実施の形態１と同様となっている。
【００４４】
以上のように構成されたインクジェットプリンタ２について、以下にその動作を説明する。
【００４５】
ＴＶ装置１からインターフェース手段５により伝送されたデータによりインクジェットプリンタ２は印刷を行う。
【００４６】
また、ＴＶ装置１のスピーカ２６からの音声を収集したマイクロフォン２５は、これを電気信号に変換してバンドパスフィルタ２７に出力する。バンドパスフィルタ２７は音声信号の不要成分を除去する。例えば、音声信号における可聴域周波数帯（２０Ｈｚ〜２０ｋＨｚ）の成分のみを取り出す。そして、不要成分を除去した信号を音声信号検出手段８に対して出力する。
【００４７】
ここで、図７は音声信号検出手段８の一例を示している。図７において、音声信号検出手段８は比較器２３で構成されている。
【００４８】
比較器２３には、事前に決定された基準電圧と、マイクロフォン２５がＴＶ装置１のスピーカ２６からの音声を収集してバンドパスフィルタ２７を通った音声信号とが入力される。ここで、基準電圧とは、ＴＶ装置１より音声が出力されていると判断できるレベルに事前に設定された電圧である。
【００４９】
比較器２３は、事前に決定された基準電圧とバンドパスフィルタ２７から入力された音声信号の電圧レベルとを比較し、当該音声信号が基準電圧より大きい場合はハイレベルの信号をＣＰＵ（制御部）３に対して出力し、また基準電圧より小さい場合はローレベルの信号をＣＰＵ３に対して出力する。
【００５０】
ＣＰＵ３は、入力された比較器２３の出力の値によってＴＶ装置１より音声が出力されているか否かを判断する。そして、ＣＰＵ３は、入力された比較器２３の出力がハイレベルの場合に、ＴＶ装置１より音声が出力されていると判断し、インクジェットプリンタ２から出力される駆動音が低減される様に装置の駆動モードを変更する。
【００５１】
駆動音を低減するために変更する装置の駆動モード（駆動音低減モード）の一つが、給紙の設定を変更することである。
【００５２】
つまり、通常は印刷に要する時間を短くするために、給紙の速度は速く設定されている。そして、給紙を速く行う場合には、印字用紙１５を一枚毎に給紙するために使用する用紙持ち上げ板１６が上下する速度も速くなり、それに伴い、用紙持ち上げ板１６が上下する際に発生する音も大きくなる。また、給紙機構を構成するギア１７とギア１８との噛み合う速度も速くなり、それに伴いギア１７とギア１８が噛み合うことで発生する音も大きくなる。
【００５３】
前述のように、ＣＰＵ３がＴＶ装置１より音声が出力されていると判断した場合に、ＣＰＵ３はモータ制御手段１２に対して給紙速度を遅くするように設定を変更する。給紙モータ１３をＤＣモータで構成する場合、ＣＰＵ３はモータ駆動電流の設定値を変更してモータの駆動トルクを落とし、給紙の速度を遅くすることができる。そして、給紙の速度を遅くすることで、前述した用紙持ち上げ板１６が上下することで発生する音、およびギア１７とギア１８とが噛み合うことで発生する音を低減することができる。
【００５４】
さらに、駆動音を低減するために変更する装置の駆動モード（駆動音低減モード）の他の一つが、ヘッドブロック１１から発生する音を低減するために同時駆動する圧電素子２０の数の設定を変更することである。
【００５５】
つまり、ＴＶ装置１に接続されて当該ＴＶ装置１の情報を印刷する機能を有するインクジェットプリンタ２において、ヘッドブロック１１の圧電素子２０に駆動電圧波形を印加し、圧電素子２０の歪み力により振動板を変位させることでインク滴をノズル孔より吐出しており、圧電素子２０の歪み力が機械的振動であるために音が発生する。そして、同時駆動する圧電素子２０の数に比例して、発生する音は大きくなる。強制吐出時は、強制吐出に要する時間を短くするために、同時駆動する圧電素子２０の数が多いため、それに伴い圧電素子２０の歪み力を利用するヘッドブロック１１から発生する音は大きくなる。
【００５６】
前述のように、ＴＶ装置１より音声が出力されているとＣＰＵ３が判断した場合は、ＣＰＵ３がヘッド制御手段１０に対して、強制吐出時は全ての圧電素子２０を同時に駆動することなく数回にわけて分割駆動すると、同時駆動する圧電素子２０の数が少なくなり、ヘッドブロック１１から発生する音を低減することができる。
【００５７】
ここで、音声信号検出手段８は、図８に示すように、Ａ／Ｄ変換器２４で構成することも可能である。
【００５８】
図８において、Ａ／Ｄ変換器２４には、マイクロフォン２５がＴＶ装置１のスピーカ２６からの音声を収集してバンドパスフィルタ２７を通った音声信号が入力される。Ａ／Ｄ変換器２４は、マイクロフォン２５がＴＶ装置１のスピーカ２６からの音声を収集しバンドパスフィルタ２７を通った音声信号をデジタルデータに変換する。音声信号が入力されＡ／Ｄ変換器２４で変換されたデジタルデータをＣＰＵ３が読み出し、あらかじめメモリ４に記憶されている基準データと比較する。ここで基準データとは、ＴＶ装置１より音声が出力されていると判断できるレベルに事前に設定されたデータである。
【００５９】
ＣＰＵ３はＡ／Ｄ変換器２４で変換されたデジタルデータと基準データの比較の結果により、ＴＶ装置１より音声が出力されていると判断した場合には、インクジェットプリンタ２から出力される駆動音が低減されるように装置の駆動モードを変更する。
【００６０】
ここで、駆動音を低減するために変更する装置の駆動モード（駆動音低減モード）の一つが、音声信号検出手段８を比較器２３で構成した場合と同様に、給紙の設定を変更することである。また、他の一つが、ヘッドブロック１１の同時駆動する圧電素子２０の数を変更することである。
【００６１】
以上のように、本インクジェットプリンタによれば、ＴＶ装置１より音声が出力されている場合には印刷時の装置駆動音を低減するようにしたので、印刷時における動作音によりＴＶ装置１から出力される音声聴取の支障を緩和することが可能になる。
【００６２】
（実施の形態３）
図９は本発明の実施の形態３によるＴＶ装置とインクジェットプリンタとを示すブロック図である。
【００６３】
図９において、ＴＶ装置１の電源がオンしている状態であることが判別できるＴＶ装置電源オン状態信号ライン２８が設けられており、ＴＶ装置１とインクジェットプリンタ２との通信を制御するインターフェース手段５に接続されている。なお、これ以外の構成は実施の形態１と同様となっている。
【００６４】
以上のように構成されたインクジェットプリンタ２について、以下にその動作を説明する。
【００６５】
ＴＶ装置１からインターフェース手段５により伝送されたデータによりインクジェットプリンタ２は印刷を行う。
【００６６】
また、ＴＶ装置電源オン状態信号ライン２８の状態により、ＴＶ装置１が電源オン状態であるか、電源オフ状態であるかが認識される。
【００６７】
ここで、ＴＶ装置１が電源オン状態であれば、視聴のために、音声が出力されているのが一般的である。
【００６８】
よって、ＣＰＵ（制御部）３は、ＴＶ装置電源オン状態信号ライン２８の状態を読み出すことにより、ＴＶ装置１の電源がオン状態であることを認識した場合はＴＶ装置１より音声が出力されていると判断し、インクジェットプリンタ２から出力される駆動音が低減されるように装置の駆動モードを変更する。
【００６９】
実施の形態１および実施の形態２と同様に、駆動音を低減するために変更する装置の駆動モード（駆動音低減モード）の一つが、給紙の設定を変更することである。さらに、駆動音を低減するために変更する装置の駆動モード（駆動音低減モード）の他の一つが、ヘッドブロック１１から発生する音を低減するために同時駆動する圧電素子２０の数の設定を変更することである。
【００７０】
以上の構成とすることで、ＴＶ装置１より音声が出力されている場合には印刷時の装置駆動音を低減するようにしたので、印刷時における動作音によりＴＶ装置１から出力される音声聴取の支障を緩和することが可能になる。
【００７１】
【発明の効果】
以上のように、本発明によれば、ＴＶ装置より音声が出力されている場合には印刷時の装置駆動音を低減するようにしたので、印刷時における動作音によりＴＶ装置から出力される音声聴取の支障を緩和することが可能になるという有効な効果が得られる。
【図面の簡単な説明】
【図１】本発明の実施の形態１によるＴＶ装置とインクジェットプリンタとを示すブロック図
【図２】図１のインクジェットプリンタにおける給紙機構を示す概略図
【図３】図１のインクジェットプリンタにおけるヘッドブロックを示す概略図
【図４】図１のインクジェットプリンタにおける音声信号検出手段として比較器を適用した場合のブロック図
【図５】図１のインクジェットプリンタにおける音声信号検出手段にＡ／Ｄ変換器を適用した場合のブロック図
【図６】本発明の実施の形態２によるＴＶ装置とインクジェットプリンタとを示すブロック図
【図７】図６のインクジェットプリンタにおける音声信号検出手段として比較器を適用した場合のブロック図
【図８】図６のインクジェットプリンタにおける音声信号検出手段にＡ／Ｄ変換器を適用した場合のブロック図
【図９】本発明の実施の形態３によるＴＶ装置とインクジェットプリンタとを示すブロック図
【図１０】ＴＶ装置と接続された従来のインクジェットプリンタを示すブロック図
【符号の説明】
１  ＴＶ装置（モニタ装置）
２  インクジェットプリンタ
３  ＣＰＵ（制御部）
４  メモリ
５  インターフェース手段
６  音声ケーブル
７  音声出力端子
８  音声信号検出手段
９  音声入力端子
１０  ヘッド制御手段
１１  ヘッドブロック
１２  モータ制御手段
１３  給紙モータ
１４  キャリッジモータ
１５  印刷用紙
１６  用紙持ち上げ板
１７  ギア
１８  ギア
１９  給紙ローラ
２０  圧電素子
２１  ヘッドドライバ
２２  駆動電圧波形
２３  比較器
２４  Ａ／Ｄ変換器
２５  マイクロフォン
２６  スピーカ
２７  バンドパスフィルタ
２８  ＴＶ装置電源オン状態信号ライン
【図１】
2004167841.tif 000003
【図２】
2004167841.tif 000004
【図３】
2004167841.tif 000005
【図４】
2004167841.tif 000006
【図５】
2004167841.tif 000007
【図６】
2004167841.tif 000008
【図７】
2004167841.tif 000009
【図８】
2004167841.tif 000010
【図９】
2004167841.tif 000011
【図１０】
2004167841.tif 000012